(57)【特許請求の範囲】
【請求項１】
アンテナ装置において、
アンテナモジュールと、
前記アンテナモジュールおよび基地局から信号を受信するＲＲＨ（Ｒａｄｉｏ  Ｒｅｍｏｔｅ  Ｈｅａｄ）と、
前記ＲＲＨを前記アンテナモジュールの一面に脱付着する着脱部材と、
前記アンテナモジュールと前記ＲＲＨの互いに対向する面に提供され、前記ＲＲＨと前記アンテナモジュールとを電気的に連結する連結モジュールと、
前記ＲＲＨの一面に備えられ、前記連結モジュールを移動させて互いに締結または分離する結合モジュールとを含み、
前記着脱部材は、前記アンテナモジュールと前記ＲＲＨの上下部にそれぞれ備えられ、前記ＲＲＨを前記アンテナモジュールに対してスライド移動するようにガイドし、前記ＲＲＨの一端部を回転するように載置し、前記ＲＲＨの他端部をアンテナモジュール側に移動可能に載置するガイドモジュール（ｇｕｉｄｅ  ｍｏｄｕｌｅ）として備えられ、
前記ガイドモジュールは、
前記アンテナモジュールの上部に備えられ、前記ＲＲＨの上部をスライド移動および回転するように支持するように、スライド方向に円形の中空部を形成する上端レール部と、
前記ＲＲＨの上部に備えられ、前記スライド移動方向にバー状に形成され、前記上端レール部に載置されて、前記上端レール部に沿ってスライド移動するか、前記上端レール部で回転する上端スライダと、
前記アンテナモジュールの下部に備えられ、前記ＲＲＨの下部をスライド移動し、前記上端スライダを回転軸として前記ＲＲＨを前記アンテナモジュールに隣接するか遠くなる方向に移動するように支持する下端レール部と、
前記ＲＲＨの下部に備えられ、前記下端レール部に載置されて、前記下端レール部に沿ってスライド移動するか、スライド移動方向の垂直方向に移動する下端スライダとを含む、アンテナ装置。
【請求項２】
前記下端レール部は、スライド移動方向を有する第１方向ガイド溝と、
前記スライド移動方向の垂直方向を有する第２方向ガイド溝とを含み、
前記下端スライダは、前記ＲＲＨの下部または前記連結モジュールの下部のうちの少なくとも１つに突出形成され、前記第１方向ガイド溝および前記第２方向ガイド溝に沿ってスライド移動するように備えられる、請求項１に記載のアンテナ装置。
【請求項３】
前記ＲＲＨは、前記アンテナモジュールの一側から他側方向に斜線形態にスライド移動した後、前記ＲＲＨの下部を前記アンテナモジュール側にプッシュして結合されることを特徴とする請求項２に記載のアンテナ装置。
【請求項４】
前記上端レール部は、前記上端スライダに載置され、前記下端レール部は、前記第１方向ガイド溝に載置されて、前記ＲＲＨは、前記アンテナモジュールの一側から他側方向に斜線形態に前記アンテナモジュールの一面にスライド移動し、
前記下端スライダが前記第２方向ガイド溝に沿って移動し、前記上端スライダは、前記上端レール部で回転しながら、前記ＲＲＨは、前記アンテナモジュールの一面に結合される、請求項３に記載のアンテナ装置。
【請求項５】
アンテナ装置において、
アンテナモジュールと、
前記アンテナモジュールおよび基地局から信号を受信するＲＲＨ（Ｒａｄｉｏ  Ｒｅｍｏｔｅ  Ｈｅａｄ）と、
前記ＲＲＨを前記アンテナモジュールの一面に脱付着する着脱部材と、
前記アンテナモジュールと前記ＲＲＨの互いに対向する面に提供され、前記ＲＲＨと前記アンテナモジュールとを電気的に連結する連結モジュールと、
前記ＲＲＨの一面に備えられ、前記連結モジュールを移動させて互いに締結または分離する結合モジュールとを含み、
前記着脱部材は、前記アンテナモジュールと前記ＲＲＨの上下部にそれぞれ備えられ、前記ＲＲＨの一端部を係止および回転するように載置し、前記ＲＲＨの他端部を、前記ＲＲＨの回転に伴い、前記アンテナモジュールから近くなるか遠くなる方向に移動するようにガイドし、前記ＲＲＨの他端部を載置するガイドモジュール（ｇｕｉｄｅ  ｍｏｄｕ
ｌｅ）として備えられ、
前記ガイドモジュールは、
前記アンテナモジュールの上側に少なくとも１つ以上備えられ、前記ＲＲＨの一端部を回転可能に係止して載置させる係止棒部材と、
前記ＲＲＨの上部に少なくとも１つ以上備えられ、前記係止棒部材に回転可能に係止されて載置される環部材と、
前記アンテナモジュールの下部に備えられ、前記ＲＲＨの他端部と結合されて、前記ＲＲＨの一端部を回転軸として前記ＲＲＨの他端部を前記アンテナモジュールに隣接するか遠くなる方向に移動するようにガイド支持する下端レール部と、
前記ＲＲＨの下部に備えられ、前記下端レール部に載置されて、前記下端レール部に沿って移動して着脱される下端スライダとを含む、アンテナ装置。
【請求項６】
前記下端レール部は、前記下端スライダを前記アンテナモジュールに隣接するか遠くなる方向にガイドするガイド溝を含み、
前記下端スライダは、前記ＲＲＨの下部または前記連結モジュールの下部のうちの少なくとも１つに突出形成され、前記ガイド溝に沿ってスライド移動するように備えられる、請求項５に記載のアンテナ装置。
【請求項７】
前記ＲＲＨは、前記アンテナモジュールの一面で斜線方向に載置された後、プッシュされて結合される、請求項６に記載のアンテナ装置。
【請求項８】
前記環部材は、前記係止棒部材に載置され、前記下端スライダは、前記ガイド溝に載置され、前記下端スライダが前記ガイド溝から前記アンテナモジュール側に移動すると、前記環部材は、前記係止棒部材で回転しながら、前記ＲＲＨは、前記アンテナモジュールの一面に結合される、請求項７に記載のアンテナ装置。
【請求項９】
アンテナ装置において、
アンテナモジュールと、
前記アンテナモジュールおよび基地局から信号を受信するＲＲＨ（Ｒａｄｉｏ  Ｒｅｍｏｔｅ  Ｈｅａｄ）と、
前記ＲＲＨを前記アンテナモジュールの一面に脱付着する着脱部材と、
前記アンテナモジュールと前記ＲＲＨの互いに対向する面に提供され、前記ＲＲＨと前記アンテナモジュールとを電気的に連結する連結モジュールと、
前記ＲＲＨの一面に備えられ、前記連結モジュールを移動させて互いに締結または分離する結合モジュールとを含み、
前記着脱部材は、前記アンテナモジュールと前記ＲＲＨの両側面にそれぞれ備えられ、
前記着脱部材は、前記ＲＲＨの両側面を載置し、前記ＲＲＨを前記アンテナモジュールの一面上部から下部に回転しながら移動させて、前記ＲＲＨを前記アンテナモジュールの一面に脱付着するリンクモジュールとして備えられる、アンテナ装置。
【請求項１０】
前記リンクモジュールは、
前記ＲＲＨの両側面から突出する少なくとも１つ以上の突起部と、
前記アンテナモジュールの両側面に備えられ、前記突起部が係止される少なくとも１つ以上の開口を具備し、前記ＲＲＨと結合される結合プレートと、前記結合プレートを前記アンテナモジュールで回転可能に支持するロテータとを含むリンク部材とを含む、請求項９に記載のアンテナ装置。
【請求項１１】
前記ＲＲＨは、前記アンテナモジュールの一面から所定間隔離隔して載置された後、前記アンテナモジュールの一面上部から下部に前記アンテナモジュールの一面に密着して移動しながら、前記ＲＲＨは、前記アンテナモジュールの一面に結合される、請求項１０に記載のアンテナ装置。
【請求項１２】
前記突起部が前記開口に係止されると、前記ＲＲＨは、前記アンテナモジュールの一面に所定間隔離隔した状態で結合され、前記ロテータは、前記結合プレートを回転させ、前記結合プレートは、上部から下部方向に移動しながら、前記ＲＲＨは、前記アンテナモジュールの一面に結合される、請求項１１に記載のアンテナ装置。
【請求項１３】
アンテナ装置において、
アンテナモジュールと、
前記アンテナモジュールおよび基地局から信号を受信するＲＲＨ（Ｒａｄｉｏ  Ｒｅｍｏｔｅ  Ｈｅａｄ）と、
前記ＲＲＨを前記アンテナモジュールの一面に脱付着する着脱部材と、
前記アンテナモジュールと前記ＲＲＨの互いに対向する面に提供され、前記ＲＲＨと前記アンテナモジュールとを電気的に連結する連結モジュールと、
前記ＲＲＨの一面に備えられ、前記連結モジュールを移動させて互いに締結または分離する結合モジュールとを含み、
前記連結モジュールは、隠蔽結合構造（Ｂｌｉｎｄ  Ｍａｔｉｎｇ  Ｓｔｒｕｃｔｕｒｅ）を有し、前記アンテナモジュールの一面に突出形成される第１連結部と、前記ＲＲＨに備えられ、前記第１連結部に対向して位置し、前記ＲＲＨの他端部のスライド移動方向の垂直方向の移動によって、前記第１連結部と弾性的に噛み合う第２連結部とを含み、
前記結合モジュールは、前記第２連結部の一面に備えられた開口に備えられるレバー部と、前記レバー部の回転に伴い、前記第２連結部を前記第１連結部に電気的に結合されるように移動させる移動部とを含む、アンテナ装置。
【請求項１４】
前記結合モジュールは、
前記レバー部が前記開口に載置されて、前記第２連結部の移動を制限するロッキングモードと、前記レバー部が前記開口から離脱して回転するに伴い、前記第２連結部を前記第１連結部から遠くなるか近くなる方向に移動して電気的に着脱させる駆動モードとを含む、請求項１３に記載のアンテナ装置。
【請求項１５】
前記第１連結部と前記第２連結部は、前記ＲＲＨの他端部を前記アンテナモジュールに近くなるか遠くなる方向に押すか引くことによって移動して互いに載置され、
前記レバー部の回転駆動によって、前記第１連結部は、前記移動部に沿って移動して前記第２連結部に電気的に着脱される、請求項１４に記載のアンテナ装置。
【発明の詳細な説明】
【技術分野】
【０００１】
本発明は、アンテナ装置に関し、特に、アンテナモジュールとＲＲＨ（Ｒａｄｉｏ  Ｒｅｍｏｔｅ  Ｈｅａｄ）とを容易に着脱可能なアンテナ装置に関する。
【背景技術】
【０００２】
無線移動通信サービスが大衆化されるに伴い、より安定的にサービスを提供できる無線ネットワーク環境を提供するアンテナ装置が普及および拡大している。特に、無線移動通信サービスは、有線通話のみを可能にしていた２Ｇ（２Ｇｅｎｅｒａｔｉｏｎ）から３Ｇを経て、多様なデータ信号を送受信できるようにするＬＴＥ（Ｌｏｎｇ  Ｔｅｒｍ  Ｅｖｏｌｕｔｉｏｎ）ベースの４Ｇ移動通信技術が用いられている。この４Ｇ移動通信のためのアンテナ装置が、既存の３Ｇとともに実装されて設置位置を共有する。ただし、３Ｇベースのアンテナに接続され、３Ｇアンテナと基地局から信号を受信する３Ｇ中継器（以下、「３Ｇ  ＲＲＨ（Ｒａｄｉｏ  Ｒｅｍｏｔｅ  Ｈｅａｄ）」という。）と、４Ｇベースのアンテナに接続され、４Ｇアンテナと基地局から信号を受信する４Ｇ中継器（以下、「４Ｇ  ＲＲＨ（Ｒａｄｉｏ  Ｒｅｍｏｔｅ  Ｈｅａｄ）」という。）とは、互いに別途に形成される。
【０００３】
このような構造を有するアンテナ装置は、アンテナモジュールとＲＲＨとが一体型に備えられる場合に、ＲＲＨの誤作動や故障が発生すると、アンテナ全体を外壁から分離しなければならない。また、アンテナモジュールとＲＲＨとが分離結合されるように備えられる場合、アンテナ装置は、高層ビルや高い支持物の外壁に実装されることにより、ＲＲＨをアンテナモジュールから分離するための工具を必要とする。仮に、高い位置でＲＲＨをアンテナモジュールから分離または結合するためには別途の工具を必要とするが、ＲＲＨをアンテナモジュールに結合または分離するための工具を落とした場合、安全事故の危険が生じ得るなどの問題点が発生することがある。
【０００４】
また、高層ビルや高い支持物の外壁に実装されたＲＲＨをアンテナモジュールに結合または分離時に工具を用いるが、高い所でＲＲＨおよび工具をすべて使用しにくい問題点がある。
【発明の概要】
【発明が解決しようとする課題】
【０００５】
本発明の実施形態に係るアンテナ装置は、ＲＲＨをアンテナモジュールと一体型に形成し、これとともに、ＲＲＨをアンテナモジュールに簡単かつ容易に着脱可能なアンテナ装置を提供する。
【０００６】
また、本発明の実施形態に係るアンテナ装置は、アンテナモジュールでＲＲＨを着脱する時、アンテナモジュールとＲＲＨとの電気的脱付着を容易に行うことができるアンテナ装置を提供する。
【課題を解決するための手段】
【０００７】
このため、本発明の多様な実施形態のうちの一つに係るアンテナ装置は、アンテナモジュールと、前記アンテナモジュールおよび基地局から信号を受信するＲＲＨ（Ｒａｄｉｏ  Ｒｅｍｏｔｅ  Ｈｅａｄ）と、前記ＲＲＨを前記アンテナモジュールで傾斜した状態でスライド移動するようにガイドし、前記ＲＲＨの一端部を回転するように載置し、前記ＲＲＨの他端部をスライド移動方向の垂直方向に移動可能に載置するガイドモジュール（ｇｕｉｄｅ  ｍｏｄｕｌｅ）と、前記アンテナモジュールと前記ＲＲＨの互いに対向する面に提供され、前記ＲＲＨと前記アンテナモジュールとを電気的に連結する連結モジュールと、前記ＲＲＨの一面に備えられ、前記連結モジュールを移動させて互いに締結または分離する結合モジュールとを含むことができる。
【０００８】
また、本発明の多様な実施形態に係るアンテナ装置は、アンテナモジュールと、前記アンテナモジュールおよび基地局から信号を受信するＲＲＨ（Ｒａｄｉｏ  Ｒｅｍｏｔｅ  Ｈｅａｄ）と、前記ＲＲＨを前記アンテナモジュールの一面に脱付着する着脱部材と、前記アンテナモジュールと前記ＲＲＨの互いに対向する面に提供され、前記ＲＲＨと前記アンテナモジュールとを電気的に連結する連結モジュールと、前記ＲＲＨの一面に備えられ、前記連結モジュールを移動させて互いに締結または分離する結合モジュールとを含むことができる。
【発明の効果】
【０００９】
上記の本発明の実施形態に係るアンテナ装置は、ＲＲＨをアンテナモジュールと一体に形成させることができて、アンテナ装置の外壁締結を容易にできるという利点がある。
【００１０】
また、外壁に締結されたアンテナモジュールにおけるＲＲＨの移動だけでＲＲＨをアンテナモジュールに締結または分離させることができて、ＲＲＨをアンテナモジュールに脱付着時、別途の工具や着脱道具なしでも簡単に脱付着させることができるという利点がある。
【００１１】
さらに、ＲＲＨをアンテナモジュールで脱付着時、別途の工具を必要としないので、高い位置でＲＲＨの脱付着作業を施す場合に、作業者が工具を用いることによって生じ得る安全事故の危険を低下させることができるという利点がある。
【００１２】
また、ＲＲＨをアンテナモジュールで脱付着時、別途の工具を必要としないので、誤作動や故障による取替を簡単にできるという利点がある。
【００１３】
さらに、ＲＲＨの後面に備えられたレバー部の回転だけでＲＲＨがアンテナモジュールと電気的に結合または結合解除することができて、ＲＲＨとアンテナモジュールとの電気的結合を容易にできる。
【００１４】
また、本発明のアンテナ装置は、ＲＲＨとアンテナモジュールとを電気的に連結する連結モジュールの端子が外部に露出しない隠蔽結合構造（ｂｌｉｎｄ  ｍａｔｉｎｇ）を有することで、安定的な結合構造を維持することができ、連結モジュールの結合信頼性を向上させることができるという利点がある。
【図面の簡単な説明】
【００１５】
【図１】本発明の一実施形態に係るアンテナ装置を概略的に示す図である。
【図２】本発明の一実施形態に係るアンテナ装置の後面を概略的に示す斜視図である。
【図３】本発明の一実施形態に係るアンテナ装置における、アンテナモジュールとＲＲＨとの分離された状態を示す後面斜視図である。
【図４】本発明の一実施形態に係るアンテナ装置における第１ガイド部および第１スライド部を示す斜視図である。
【図５】本発明の一実施形態に係るアンテナ装置における第２ガイド部および第２スライド部を示す斜視図である。
【図６】本発明のアンテナ装置における第２ガイド部を示す斜視図である。
【図７】本発明の一実施形態に係るアンテナ装置における、第１ガイド部と第２スライド部との分離された状態を示す斜視図である。
【図８】本発明の一実施形態に係るアンテナ装置における第１連結部を示す図である。
【図９】本発明の一実施形態に係るアンテナ装置における、アンテナモジュールでＲＲＨの着脱される過程を示す図である。
【図１０】本発明の多様な実施形態のうちの一実施形態に係るアンテナ装置における、アンテナモジュールとＲＲＨとの分離された側面図である。
【図１１】本発明の多様な実施形態のうちの一実施形態に係るアンテナ装置における、アンテナモジュールとＲＲＨとの分離された後面斜視図である。
【図１２】本発明の多様な実施形態のうちの一実施形態に係るアンテナ装置の係止棒部材と環部材を示す拡大図である。
【図１３】本発明の多様な実施形態のうちの一実施形態に係るアンテナ装置の環部材の他の形状を示す図である。
【図１４】本発明の多様な実施形態のうちの一実施形態に係るアンテナ装置における、アンテナモジュールの後面にＲＲＨの着脱前の状態を示す図である。
【図１５】本発明の多様な実施形態のうちの一実施形態に係るアンテナ装置における、アンテナモジュールの後面にＲＲＨの着脱された状態を示す図である。
【図１６】本発明の多様な実施形態のうちの一実施形態に係るアンテナ装置における、アンテナモジュールとＲＲＨとの分離された側面図である。
【図１７】本発明の多様な実施形態のうちの一実施形態に係るアンテナ装置における、アンテナモジュールとＲＲＨとが一次的に結合された状態の側面斜視図である。
【図１８】本発明の多様な実施形態のうちの一実施形態に係る着脱部材、具体的にリンクモジュールを示す図である。
【図１９】本発明の多様な実施形態のうちの一実施形態に係る着脱部材、具体的にリンクモジュールが駆動された状態を示す拡大図である。
【図２０】本発明の多様な実施形態のうちの一実施形態に係るアンテナ装置における、アンテナモジュールの後面にＲＲＨの着脱前の状態を示す図である。
【図２１】本発明の多様な実施形態のうちの一実施形態に係るアンテナ装置における、アンテナモジュールの後面にＲＲＨの着脱された状態を示す図である。
【図２２】本発明の一実施形態に係るアンテナ装置における、第１連結部の他の実施形態を示す図である。
【図２３】本発明の一実施形態に係るアンテナ装置における、他の実施形態に係る第１連結部と第２連結部との結合された状態を概略的に示す図である。
【図２４】本発明の一実施形態に係るアンテナ装置における、他の実施形態に係る第１連結部と第２連結部との結合された状態の一部断面を示す図である。
【図２５】本発明の第１連結部と第２連結部とが結合された状態の概略的な断面図を示す図である。
【図２６】本発明の一実施形態に係るアンテナ装置における、レバー部の駆動による第１連結部と第２連結部との結合駆動を示す図である。
【発明を実施するための形態】
【００１６】
本発明（Ｔｈｅ  ｐｒｅｓｅｎｔ  ｄｉｓｃｌｏｓｕｒｅ）は、多様な変更が加えられて様々な実施形態を有することができるが、一部の実施形態を図面を参照して詳細に説明する。しかし、これは本発明を特定の実施形態に対して限定しようとするものではなく、本発明の思想および技術範囲に含まれるあらゆる変更（ｍｏｄｉｆｉｃａｔｉｏｎ）、均等物（ｅｑｕｉｖａｌｅｎｔ）および／または代替物（ａｌｔｅｒｎａｔｉｖｅ）を含むことが理解されなければならない。
【００１７】
「第１」、「第２」、「１番目」、または「２番目」などのような序数を含む用語は多様な構成要素を説明するのに使用できるが、前記構成要素は前記用語によって順序および／または重要度が限定されない。前記用語は、１つの構成要素を他の構成要素から区別する目的でのみ使用される。例えば、本発明の権利範囲を逸脱しない範囲で第１構成要素は第２構成要素と名付けられてよく、同じく第２構成要素も第１構成要素と名付けられてよい。「および／または」という用語は、複数の関連する記載項目の組み合わせまたは複数の関連する記載項目のいずれかの項目を含む。
【００１８】
また、「前面」、「後面」、「上面」、「下面」などのような、図面に示されることを基準として記述された相対的な用語は、「第１」、「第２」などのような序数に代替されてもよい。「第１」、「第２」などの序数においてその順序は言及された順序や任意に定められたものであって、必要に応じて任意に変更可能である。
【００１９】
本発明で使用した用語は、単に特定の実施形態を説明するために使用されたものであり、本発明を限定しようとする意図ではない。単数の表現は、文脈上明らかに異なって意味しない限り、複数の表現を含む。本発明において、「含む」または「有する」などの用語は、明細書上に記載された特徴、数字、段階、動作、構成要素、部品またはこれらを組み合わせたものが存在することを指定しようとするものであり、１つまたはそれ以上の他の特徴や数字、段階、動作、構成要素、部品またはこれらを組み合わせたものの存在または付加の可能性を予め排除しないことが理解されなければならない。
【００２０】
別途に定義しない限り、技術的または科学的な用語を含む、ここで使用されるすべての用語は、本発明の属する技術分野における通常の知識を有する者によって一般的に理解されるのと同じ意味を持っている。一般的に使用される辞書に定義されているような用語は、関連技術の文脈上有する意味と一致する意味を有すると解釈され、本発明で明らかに定義しない限り、理想的または過度に形式的な意味で解釈されない。場合によって、本文書で定義された用語であっても、本発明の実施形態を排除するように解釈できない。
【００２１】
また、本発明の説明に先立ち、第１方向Ｘは、外壁に設けられたアンテナモジュール１００の一側から他側方向を指すもので、図面ではＸ軸方向と表示した。さらに、第２方向Ｙは、外壁に設けられたアンテナモジュール１００と外壁との互いに対向する方向を指すもので、図面ではＹ軸方向と表示した。また、第１、第２方向に垂直な重力方向Ｚがあり、アンテナモジュール１００が外壁１０に設けられる方向が重力方向Ｚであり、図面ではＺ軸方向と表示した。
【００２２】
図１は、本発明の一実施形態に係るアンテナ装置を概略的に示す図である。図２は、本発明の一実施形態に係るアンテナ装置の後面を概略的に示す斜視図である。図３は、本発明の一実施形態に係るアンテナ装置における、アンテナモジュールとＲＲＨとの分離された状態を示す後面斜視図である。
【００２３】
図１〜図３を参照すれば、本発明の一実施形態に係るアンテナ装置１０は、外壁や電柱などの直立した支持台（以下、「外壁（図示せず）」という。）に設けられる。アンテナ装置１０は、アンテナモジュール１００と、前記アンテナモジュール１００に対面して配置されて連結されるＲＲＨ２００（Ｒａｄｉｏ  Ｒｅｍｏｔｅ  Ｈｅａｄ）とを含むことができ、前記アンテナモジュール１００を外壁に固定する固定モジュール１０１を含むことができる。また、本発明のアンテナ装置１０は、外壁に設けられたアンテナモジュール１００で別途の着脱工具なしにＲＲＨ２００を脱付着可能にするガイドモジュール１２０、１３０、２２０、２３０と、結合モジュール１４０、２４０とを含むことができ、前記ＲＲＨ２００と前記アンテナモジュール１００とを電気的に連結可能にする連結モジュール１５０、２５０を含むことができる。本発明のアンテナ装置１０は、ＲＲＨ２００が別途の工具なしにアンテナモジュール１００で着脱可能に備えられ、連結モジュール１５０、２５０は、隠蔽結合構造を有し、結合モジュール１４０、２４０によって、アンテナモジュール１００とＲＲＨ２００とはブラインドメイティング（ｂｌｉｎｄ  ｍａｔｉｎｇ）される。
【００２４】
本発明の一実施形態に係るＲＲＨ２００は、アンテナモジュール１００で傾斜した状態でガイド移動し、ＲＲＨ２００の下部（以下、「ＲＲＨ２００の他端部」という。）を押すか引くことによって、ＲＲＨ２００の上部（以下、「ＲＲＨ２００の一端部」という。）を回転軸としてＲＲＨ２００の一端部がガイド移動した方向の垂直方向に移動するように備えられる。具体的な内容は後述するが、ＲＲＨ２００の一端部は、アンテナモジュール１００の側面で第１方向Ｘに沿ってスライド移動および回転可能にアンテナモジュール１００に実装される。また、ＲＲＨ２００の他端部は、前記アンテナモジュール１００の側面で第１方向Ｘおよび第１方向Ｘの垂直な第２方向Ｙにスライド移動してアンテナモジュール１００に実装される。すなわち、ＲＲＨ２００は、アンテナモジュール１００の上部でガイドおよび支持されるＲＲＨ２００の一端部を回転軸として、ＲＲＨ２００の他端部の押すか引く力によってアンテナモジュール１００と近くなるか遠くなる方向にスライド移動ガイドされて、アンテナモジュール１００とＲＲＨ２００とは面対面（ｆａｃｅ  ｔｏ  ｆａｃｅ）で向かい合うように配置される。さらに、ＲＲＨ２００の他端部が第２方向Ｙにスライド移動することによって連結モジュール１５０、２５０が互いに噛み合いながら、アンテナモジュール１００とＲＲＨ２００との間で隠蔽されて電気的に連結される隠蔽結合構造を有する。
【００２５】
以下、上記の簡略に言及した構成について具体的に説明することができる。
【００２６】
アンテナモジュール１００は、３Ｇ移動通信サービスが可能なアンテナ、または４Ｇ移動通信サービスが可能なアンテナであってもよい。アンテナモジュール１００は、略重力方向Ｚに長く形成される。先にも言及したように、重力方向Ｚを基準としてアンテナモジュール１００の後面の上／下には固定モジュール１０１が備えられ、固定モジュール１０１は、アンテナモジュール１００を外壁に支持する。アンテナモジュール１００の後面、すなわち、外壁に向かって提供される面には、後述するＲＲＨ２００と電気的に連結される連結モジュール１５０、２５０のうちの第１連結部１５０が、アンテナモジュール１００の表面に対比して内側に引き込まれて形成される。本発明の一実施形態に係る第１連結部１５０は、アンテナモジュール１００の後面の表面より内側に引き込まれて、後述する連結モジュール１５０、２５０のうちの第２連結部２５０が引き込まれて連結されることを例として説明したが、第１、第２連結部１５０、２５０の形状はこれに限定されるものではない。ＲＲＨ２００がアンテナモジュール１００に結合される時に隠蔽結合される構造を有することができるならば、第１、第２連結部の形状はあらゆる変形や変更が可能である。また、アンテナモジュール１００の後面には、後述するＲＲＨ２００が結合または離脱できるように、ガイドモジュール１２０、１３０、２２０、２３０のうちのガイド部材１２０、１３０が備えられる。
【００２７】
ガイド部材１２０、１３０は、アンテナモジュール１００の後面の上下部に位置することができる。アンテナモジュール１００の上部に位置したガイド部材１２０、１３０（後述するが、「第１ガイド部１２０」に相当する。）は、後述する第１スライド部２２０のスライド移動および回転移動をガイドするように備えられる。また、アンテナモジュール１００の下部に位置したガイド部材１２０、１３０（後述するが、「第２ガイド部１３０」に相当する。）は、後述する第２スライド部２３０の第１方向Ｘのスライド移動および第１方向Ｘの垂直方向である第２方向Ｙのスライド移動をガイドするように備えられる。よって、ガイド部材１２０、１３０には、ＲＲＨ２００に備えられたスライド部材２２０、２３０が載置支持されて、ＲＲＨ２００がアンテナモジュール１００で傾斜した状態でスライド移動するか、ＲＲＨ２００の押されるか引かれることによってＲＲＨ２００の着脱をガイドすることができる。
【００２８】
ＲＲＨ２００（Ｒａｄｉｏ  Ｒｅｍｏｔｅ  Ｈｅａｄ）は、前記アンテナモジュール１００および基地局から信号を受信するモジュールである。ＲＲＨ２００は、アンテナモジュール１００の後面の一側面から他側面方向（第１方向Ｘ）にスライド移動およびスライド移動の垂直方向の移動によりアンテナモジュール１００に着脱可能である。すなわち、ＲＲＨ２００は、アンテナモジュール１００の後面にＺ方向に沿って装着されるのである。ＲＲＨ２００は、アンテナモジュール１００と同じく、重力方向Ｚに長く形成される。図示しないが、ＲＲＨ２００は、その内部に、ボード（ｍａｉｎ  ｂｏａｒｄ）と、増幅部（ＰＡＵ：Ｐｏｗｅｒ  Ａｍｐｌｉｆｙｉｎｇ  Ｕｎｉｔ）と、電源供給部（ＰＳＵ：Ｐｏｗｅｒ  Ｓｕｐｐｌｙｉｎｇ  Ｕｎｉｔ）と、ヒートシンク（ｈｅａｔ  ｓｉｎｋ）とが提供される。
【００２９】
上述のように、前記ＲＲＨ２００は、外壁に設けられたアンテナモジュール１００の後面に着脱可能に備えられる。ＲＲＨ２００は、アンテナモジュール１００と外壁との間に位置し、アンテナモジュール１００の後面に提供されるガイドモジュール１２０、１３０、２２０、２３０のうちのガイド部材１２０、１３０における第１方向Ｘのスライド移動と、回転駆動および第２方向Ｙにスライド移動して、アンテナモジュール１００で別途の工具なしに着脱される構造を有する。ＲＲＨ２００の前面、またはＲＲＨ２００の下端部の前面方向には、前記回転および第２方向Ｙの移動によって、前記アンテナモジュール１００に備えられる第１連結部１５０に連結または連結解除できるように、連結モジュール１５０、２５０のうちの第２連結部２５０が突出形成される。先にも言及したように、本発明の一実施形態に係る第２連結部２５０は、突出する形状を例として説明するが、これに限定されるものではなく、第１連結部１５０と第２連結部２５０とが互いに噛み合って隠蔽結合される構造を有することができるならば、第１、第２連結部１５０、２５０の形状はあらゆる変更や変形が可能である。また、ＲＲＨ２００の一端部とＲＲＨ２００の他端部には、ガイドモジュール１２０、１３０、２２０、２３０のうちのスライド部材２２０、２３０が備えられる。よって、スライド部材２２０、２３０がアンテナモジュール１００に備えられたガイドモジュール１２０、１３０、２２０、２３０のうちのガイド部材１２０、１３０に載置支持されて、ＲＲＨ２００をアンテナモジュール１００に着脱可能に結合することができる。
【００３０】
スライド部材２２０、２３０は、ＲＲＨ２００の上部および下部に位置する。スライド部材２２０、２３０は、ＲＲＨ２００をアンテナモジュール１００、具体的に後述するガイド部１３０にスライド移動して装着または離脱する。スライド部材２２０、２３０は、ＲＲＨ２００の周面のうちの上部周面に上部方向に突出する第１スライド部２２０と、ＲＲＨ２００の後面（外壁に対向する面を指す）下部に外壁方向に突出する第２スライド部２３０として備えられる。
【００３１】
図４は、本発明の一実施形態に係るアンテナ装置における第１ガイド部および第１スライド部を示す斜視図である。図５は、本発明の一実施形態に係るアンテナ装置における第２ガイド部および第２スライド部を示す斜視図である。図６は、本発明のアンテナ装置における第２ガイド部を示す斜視図である。図７は、本発明の一実施形態に係るアンテナ装置における、第１ガイド部と第２スライド部との分離された状態を示す斜視図である。
【００３２】
図４〜図７を参照すれば、上述したガイド部材１２０、１３０およびスライド部材２２０、２３０に関する詳細な構成は、後述するガイドモジュール１２０、１３０、２２０、２３０の構成を説明する際に具体的に説明する。
【００３３】
ガイドモジュール１２０、１３０、２２０、２３０は、ＲＲＨ２００をアンテナモジュール１００に着脱できるようにアンテナモジュール１００およびＲＲＨ２００に提供される構成である。ガイドモジュール１２０、１３０、２２０、２３０は、ＲＲＨ２００を前記アンテナモジュール１００で傾斜した状態でスライド移動するようにガイドし、前記ＲＲＨ２００の一端部を回転するように載置し、前記ＲＲＨ２００の他端部をスライド移動方向の垂直方向に移動可能に載置するように備えられる。
【００３４】
ガイドモジュール１２０、１３０、２２０、２３０は、ガイド部材１２０、１３０と、スライド部材２２０、２３０とを含むことができる。
【００３５】
ガイドモジュール１２０、１３０、２２０、２３０は、ＲＲＨ２００、具体的にＲＲＨ２００の一端部をアンテナモジュール１００の側面で第１方向Ｘにスライド移動および回転移動するようにガイド支持し、ＲＲＨ２００の他端部をアンテナモジュール１００の側面で第１方向Ｘにスライド移動および第２方向Ｙにスライド移動するようにガイド支持するようにアンテナモジュール１００とＲＲＨ２００に備えられる構成である。
【００３６】
ＲＲＨ２００をアンテナモジュール１００の後面に固定する場合、一次的に、ガイドモジュール１２０、１３０、２２０、２３０は、ＲＲＨ２００をアンテナモジュール１００の後面と傾斜してスライド移動するようにガイド移動するように案内する。また、二次的に、ガイドモジュール１２０、１３０、２２０、２３０は、ＲＲＨ２００をアンテナモジュール１００と平行に対面させるか、アンテナモジュール１００で平行に対面したＲＲＨ２００を傾斜させるように、ＲＲＨ２００の一端部を回転軸としてＲＲＨ２００の他端部を第２方向Ｙにスライド移動するように案内する。
【００３７】
ＲＲＨ２００がアンテナモジュール１００で傾斜した状態で第１方向Ｘに一次的に案内されると、ＲＲＨ２００の一端部は、アンテナモジュール１００の上部で第１方向Ｘにスライド移動し、ＲＲＨ２００の他端部は、ＲＲＨ２００の一端部とずれた位置（重力方向に平行でないことを意味する。）で第１方向Ｘにスライド移動する。ＲＲＨ２００がアンテナモジュール１００で一次的移動によって、ＲＲＨ２００の一端部は、アンテナモジュール１００に隣接して位置し、相対的にＲＲＨ２００の他端部は、アンテナモジュール１００から離隔して位置する。ＲＲＨ２００の一端部に対比してアンテナモジュール１００から所定間隔離隔したＲＲＨ２００の他端部をアンテナモジュール１００側に押すと（二次的移動）、アンテナモジュール１００で傾斜したＲＲＨ２００は、アンテナモジュール１００に平行に、具体的に重力方向に位置し、ＲＲＨ２００は、アンテナモジュール１００の後面に密着および固定される。
【００３８】
上述のように、ガイドモジュール１２０、１３０、２２０、２３０は、ガイド部材１２０、１３０と、スライド部材２２０、２３０とを含むことができる。
【００３９】
ガイド部材１２０、１３０は、アンテナモジュール１００の後面の上下部に提供される。ガイド部材１２０、１３０は、一次的移動と二次的移動に際して、アンテナモジュール１００の上部と下部に載置されるＲＲＨ２００の一端部とＲＲＨ２００の他端部の移動を異ならせるように備えられる。具体的には、アンテナモジュール１００とＲＲＨ２００の上部に備えられるガイドモジュール１２０、１３０、２２０、２３０は、第１方向Ｘにスライド移動および回転移動するようにガイド支持し、アンテナモジュール１００とＲＲＨ２００の下部に備えられるガイドモジュール１２０、１３０、２２０、２３０は、第１方向Ｘにスライド移動、およびＲＲＨ２００の他端部を押すか引くことによって第２方向Ｙにスライド移動するようにガイド支持することができる。
【００４０】
ガイド部材１２０、１３０は、第１ガイド部１２０と、第２ガイド部１３０とを含むことができる。第１ガイド部１２０と第２ガイド部１３０は、アンテナモジュール１００の後面に固定モジュール１０１の間に備えられ、本発明の一実施形態において、第１ガイド部１２０と第２ガイド部１３０は、固定モジュール１０１側に備えられることを例として説明することができる。
【００４１】
第１ガイド部１２０は、前記アンテナモジュール１００の後面上部から外壁側に突出して備えられる。第１ガイド部１２０は、ＲＲＨ２００の一端部と結合され、一次的移動および二次的移動によって、ＲＲＨ２００の一端部をスライド移動させるか、回転するように支持することができる。本発明の一実施形態に係る第１ガイド部１２０は、アンテナモジュール１００の後面上部に備えられた固定モジュール１０１（以下、「上端固定部」という。）に備えられ、スライド移動方向に円形の中空部１２１を有し、第１スライド部２２０が移動できるように中空部１２１に沿って下部のオープンした上端レール部として備えられる。図示しないが、上端レール部には、後述する第１スライド部２２０が第１方向Ｘのスライド移動を制限可能な第１ストッパがさらに備えられる。
【００４２】
前記第２ガイド部１３０は、アンテナモジュール１００の下部に備えられ、前記ＲＲＨ２００の他端部と結合されて前記ＲＲＨ２００の他端部のスライド移動をガイド支持する。また、ＲＲＨ２００の他端部は、第２ガイド部１３０で第１方向Ｘおよび第２方向Ｙにスライド移動するが、ＲＲＨ２００の他端部が第２ガイド部１３０で第２方向Ｙにスライド移動する時には、前記ＲＲＨ２００の一端部を回転軸として移動することができる。前記ＲＲＨ２００の他端部が第２ガイド部１３０に沿って第２方向Ｙにスライド移動すると、前記ＲＲＨ２００は、前記アンテナモジュール１００に隣接して移動するか、遠くなる方向に移動する。
【００４３】
前記第２ガイド部１３０は、前記第１ガイド部１２０に対比して広いプレート形状を有する下端レール部として備えられる。下端レール部は、プレート形状の第２ガイド部１３０の上面に、後述する第２スライド部２３０の第１方向Ｘおよび第２方向Ｙのスライド移動をガイドするようにスライド移動方向に備えられる第１方向ガイド溝１３１ａと、前記スライド移動方向の垂直方向に備えられる第２方向ガイド溝１３１ｂとを含むことができる。本発明の一実施形態に係る下端レール部は、第１方向ガイド溝１３１ａと、第２方向ガイド溝１３１ｂとが形成されることを例として説明したが、これに限定されるものではない。例えば、後述する第２スライド部２３０の第１方向Ｘの移動をガイドし、および第２方向Ｙの移動をガイドする構造や構成であればあらゆる変更や変形が可能である。
【００４４】
第１方向ガイド溝１３１ａと第２方向ガイド溝１３１ｂのそれぞれの端部は、第２スライド部２３０の第１方向Ｘのスライド移動および第２方向Ｙのスライド移動を停止させるストッパの役割を有することができる。
【００４５】
スライド部材２２０、２３０は、前記ＲＲＨ２００、具体的にアンテナモジュール１００に対面するＲＲＨ２００の一面に備えられる。スライド部材２２０、２３０は、前記アンテナモジュール１００の後面に突出形成されたガイド部材１２０、１３０、上述した第１ガイド部１２０と第２ガイド部１３０に載置される。スライド部材２２０、２３０がガイド部材１２０、１３０に載置されてガイド部材１２０、１３０に沿って第１方向Ｘにスライド移動すると、ＲＲＨ２００は、重力方向に実装されたアンテナモジュール１００で傾斜した状態でスライド移動することができる。また、スライド部材２２０、２３０をガイド部材１２０、１３０で第２方向Ｙに移動させると、ＲＲＨ２００は、アンテナモジュール１００に平行になるか、または傾斜して備えられる。
【００４６】
スライド部材２２０、２３０は、第１スライド部２２０と、第２スライド部２３０とを含むことができる。
【００４７】
第１スライド部２２０は、前記ＲＲＨ２００の上部に備えられ、前記第１ガイド部１２０に載置されて、前記第１ガイド部１２０に沿ってスライド移動するか、前記第１ガイドモジュール１２０、１３０、２２０、２３０で回転するように備えられる。前記第１スライド部２２０は、スライド移動方向に長く形成される円形のバー状に備えられた上端スライダとして備えられる。上端スライダは、上述した中空部１２１の形状を有する前記上端レール部で嵌合して上端レール部に沿って第１方向Ｘにスライド移動することができる。また、上端スライダと上端レール部は、それぞれの外側面と内側面が円形に噛み合って、上端スライダが上端レール部で回転可能に備えられる。
【００４８】
第２スライド部２３０は、前記ＲＲＨ２００の下部に備えられ、前記第２ガイド部１３０に載置されて、前記第２ガイド部１３０に沿ってスライド移動するか、スライド移動方向の垂直方向に移動するように備えられる。前記第２スライド部２３０は、前記ＲＲＨ２００の下部または前記連結モジュール１５０、２５０の下部のうちの少なくとも１つに突出形成された下部スライダとして備えられる。本発明の一実施形態に係る下部スライダは、ＲＲＨ２００の下部に突出形成された連結モジュール１５０、２５０の下部に突出することを例として説明する。しかし、下部スライダの位置はこれに限定されるものではない。本発明の一実施形態に係る連結モジュール１５０、２５０、具体的に第２連結部２５０がＲＲＨ２００の下部に突出形成されて、下部スライダが連結モジュール１５０、２５０の下部に突出形成される。これとは異なり、連結モジュール１５０、２５０は、アンテナモジュール１００に対向するＲＲＨ２００の一面に位置することができる。この場合、下部スライダは、ＲＲＨ２００の下部で突出形成されるはずである。このように、下部スライダは、ＲＲＨ２００の形状や構造、構成などによって実装位置がいくらでも可変可能である。下部スライダは、第２ガイド部１３０に載置支持されて、第２ガイド部１３０に形成された第１方向ガイド溝１３１ａに沿って第１方向Ｘの移動をし、第２方向ガイド溝１３１ｂに沿って第２方向Ｙの移動をする。
【００４９】
アンテナ装置１０には、前記ＲＲＨ２００の他端部がアンテナモジュール１００の後面側に押されてＲＲＨ２００がアンテナモジュール１００と平行に備えられる場合、ＲＲＨ２００をアンテナモジュール１００に固定しながら、後述する連結モジュール１５０、２５０の電気的な連結状態を安定的に維持できるように、結合モジュール１４０、２４０が備えられる。結合モジュール１４０、２４０は、互いに平行に位置したアンテナモジュール１００とＲＲＨ２００を互いに固定させることができるように、アンテナモジュール１００とＲＲＨ２００にそれぞれ備えられる。具体的には、結合モジュール１４０、２４０は、固定部材１４０と、係止部材２４０とを含むことができる。
【００５０】
固定部材１４０は、第２ガイド部１３０の両端部に備えられ、後述する前記ＲＲＨ２００の本発明の一実施形態に係る固定部材１４０は、環状の開口を具備した係止プレートが支持プレートの間で弾性的に回転可能に備えられる。後述する係止部材２４０が環状の係止プレートに載置されると、係止プレートが支持プレートの間で弾性的に自動回転して、係止部材２４０を噛み合い固定される。
【００５１】
係止部材２４０は、第２スライド部２３０の両端部から両側方向に延びて突出形成される。係止部材２４０は、上述した環状の開口に嵌合できるように係止突起からなるとよい。係止突起は、ＲＲＨ２００の他端部がアンテナモジュール１００と近くなるようにプッシュされると、前記係止部材２４０は、前記係止プレートの開口側に引き込まれる。
【００５２】
すなわち、係止突起が係止プレートの開口側に引き込まれると、係止プレートは、支持プレートの間で弾性体などによって自動回転する。係止プレートが回転するに伴い、開口が支持プレートの間に流入して係止突起は環状の開口に係止され、係止部材２４０が係止プレートに係止されてロッキングされる。よって、ＲＲＨ２００は、アンテナモジュール１００の後面で結合された状態に維持できるのである。また、係止突起が環状の開口に係止されている状態で、係止プレートを支持プレートの間で回転させて、開口を支持プレートでオープンさせる。作業者が係止部材２４０を握ってＲＲＨ２００を引くと、係止部材２４０は、係止プレートから離脱して係止解除され、ＲＲＨ２００は、アンテナモジュール１００で傾斜した状態で位置して第１方向Ｘのスライド移動が可能になる。
【００５３】
図８は、本発明の一実施形態に係るアンテナ装置における第１連結部を示す図である。
【００５４】
図８を参照すれば（以下、図１〜図７も併せて参照する。）、アンテナモジュール１００とＲＲＨ２００の互いに対面する面、具体的にアンテナモジュール１００の後面とＲＲＨ２００の前面方向には、アンテナモジュール１００とＲＲＨ２００とを互いに電気的に連結するための連結モジュール１５０、２５０が備えられる。連結モジュール１５０、２５０は、第１連結部１５０と、第２連結部２５０とを含むことができる。
【００５５】
第１連結部１５０は、アンテナモジュール１００の後面の表面から内側に引き込まれて備えられ、第２連結部２５０は、ＲＲＨ２００に突出形成され、第１連結部１５０側に引き込まれて第１連結部１５０と密着する。第２連結部２５０は、ＲＲＨ２００の他端部がアンテナモジュール１００と近くなるか遠くなる第２方向Ｙに移動すると、第２連結部２５０は、第１連結部１５０の内側に引き込まれて噛み合うか、第１連結部１５０の内側から引き出されて離脱することができる。第２連結部２５０が第１連結部１５０に密着した状態で、後述する結合モジュール１４０、２４０の駆動によって第２連結部２５０が第１連結部１５０に直線移動して電気的に連結される。
【００５６】
第１連結部１５０は、第１端子部１５２と、第１ハウジング１５１とを含むことができる。第１ハウジング１５１は、アンテナモジュール１００の後面の内側に引き込まれて備えられた第１端子部１５２の周りに備えられる。第１ハウジング１５１には、後述する第２連結部２５０の第２ハウジング２５１が引き込まれて隠蔽結合される。
【００５７】
第１ハウジング１５１の周面に、後述する結合モジュール１４０、２４０のうちの移動部に対応できるようにねじ山が形成され、ねじ山は、後述する第２連結部２５０の第２ハウジング２５１の内側面に形成された移動部、具体的にねじパターンに噛み合って回転移動しながら、第２連結部２５０の第２端子部２５２を第２方向Ｙに直線移動させられるように備えられる。
【００５８】
第１端子部１５２は、アンテナモジュール１００の後面の内側から突出形成される。第１端子部１５２は、第１ハウジング１５１に弾性的に実装される。アンテナモジュール１００に傾斜してガイド移動したＲＲＨ２００の他端部をアンテナモジュール１００側にプッシュすると、第１端子部１５２が弾性的に駆動可能で、後述する第２連結部２５０の第２端子部２５２と安定的に噛み合うことができる。
【００５９】
第２連結部２５０は、第２端子部２５２と、第２ハウジング２５１とを含むことができる。
【００６０】
本発明の一実施形態に係る第２ハウジング２５１は、アンテナモジュール１００に対向する方向に備えられ、ＲＲＨ２００の下部に突出形成される。第２ハウジング２５１は、第２端子部２５２の周辺の周りに備えられ、第２ハウジング２５１は、第１ハウジング１５１に引き込まれて密着して載置できるように備えられる。また、第２ハウジング２５１が第１ハウジング１５１に引き込まれて、第１端子部１５２と第２端子部２５２は、第１、第２ハウジング１５１、２５１に密閉された状態で噛み合うように備えられる。第２ハウジング２５１の外側には、第１ハウジング１５１の内側面に形成されたねじ山に噛み合って結合可能なねじパターンが形成される。第２ハウジング２５１は、後述する結合モジュール１４０、２４０の駆動によって第１ハウジング１５１の内側面のねじ山に沿って回転しながら第２方向Ｙに直線移動する。さらに、第２端子部２５２が第１端子部１５２に噛み合っているだけの状態で第２ハウジング２５１が回転移動し、かつ、第２端子部２５２は第２方向Ｙに沿って直線移動しながら第１端子部１５２と電気的に結合または結合解除される。
【００６１】
例えば、第１端子部１５２と第２端子部２５２とが噛み合った状態で電気的に結合される駆動状態をみると、まず、ＲＲＨ２００がアンテナモジュール１００で第１方向Ｘ移動するとともに、回転および第２方向Ｙ移動してアンテナモジュール１００の後面に密着する。ＲＲＨ２００がアンテナモジュール１００の後面に密着すると、第２ハウジング２５１は第１ハウジング１５１に引き込まれ、第１端子部１５２と第２端子部２５２とは互いに噛み合う。この時、第１端子部１５２と第２端子部２５２とは噛み合っているが、電気的に結合される前の状態である。この状態で後述する第２連結部２５０に備えられた結合モジュール１４０、２４０を駆動させると、第２端子部２５２が第１端子部１５２側に直線移動しながら互いに電気的に結合される。
【００６２】
先にも言及した結合モジュール１４０、２４０は、ＲＲＨ２００とアンテナモジュール１００との密着によって互いに噛み合うだけで備えられた第１、第２端子部１５２、２５２を電気的に結合または結合解除できるように駆動させるように備えられる（図１、２、３および図５参照）。
【００６３】
すなわち、ＲＲＨ２００がアンテナモジュール１００の後面に平行に配置されると、第１端子部１５２と第２端子部２５２は、第１ハウジング１５１と第２ハウジング２５１との密着によって第１ハウジング１５１と第２ハウジング２５１に取り囲まれたまま外部に露出しない。また、ＲＲＨ２００がアンテナモジュール１００に平行に位置するように移動すると、第１端子部１５２と第２端子部２５２とは噛み合ったまま備えられるが、互いに電気的に結合されない。よって、結合モジュール１４０、２４０は、第１ハウジング１５１および第２ハウジング２５１に取り囲まれたまま隠蔽された第２端子部２５２を第１端子部１５２側に直線移動させて、第２端子部２５２を第１端子部１５２と結合するか、結合解除するように駆動されるのである。
【００６４】
結合モジュール１４０、２４０は、作業者がＲＲＨ２００をアンテナモジュール１００に電気的に連結する時、別途の工具なしに装着できるように、ＲＲＨ２００の後面、具体的に第２連結部２５０の後面に備えられる。結合モジュール１４０、２４０は、第２端子部２５２を第１端子部１５２側に直線移動するように駆動させるレバー部２６０と、第２端子部２５２が第１端子部１５２側に移動させる移動部とを含むことができる。
【００６５】
レバー部２６０は、第２連結部２５０の後面で回転可能に備えられ、前記第２連結部２５０の後面に備えられた開口に載置されるように備えられる。レバー部２６０は、前記第２連結部２５０に形成された開口に載置されて、前記第２連結部２５０の表面に対面するように位置することができる。前記レバー部２６０は、前記第２連結部２５０に回転するように結合された一端を中心軸として前記第２連結部２５０の表面に垂直な方向に突出するように第１回転移動するように備えられ、第２連結部２５０の表面から突出したレバー部２６０が中心軸を中心に第２回転移動するように備えられる。レバー部２６０が第２連結部２５０で第１回転移動すると、レバー部２６０は、第２連結部２５０の表面と平行に位置して開口に載置されるか、または開口から離脱して第２連結部２５０の表面と垂直な方向に突出して備えられる。第２連結部２５０から突出したレバー部２６０をその一端を中心に第２回転移動させると、後述する移動部が回転しながら第２端子部２５２を直線移動するようにガイドする。
【００６６】
移動部は、第２連結部２５０に備えられ、レバー部２６０の回転に伴い、第２ハウジング２５１を回転および直線移動するように備えられる。移動部は、第２ハウジング２５１の外側面に形成されるねじパターンに備えられ、第２ハウジング２５１は、レバー部２６０の駆動によって第２連結部２５０で直線方向に移動できるように備えられる。
【００６７】
前記結合モジュール１４０、２４０は、ロッキングモードと駆動モードの２つのモードで駆動できる。ロッキングモードは、第２連結部２５０の駆動を制限する状態であって、レバー部２６０が第２連結部２５０の後面の開口に載置されると、レバー部２６０の駆動は制限され、第２連結部２５０の駆動はロッキングされる。
【００６８】
この状態で、レバー部２６０を開口から離脱させて第２連結部２５０の表面と垂直に移動させると、結合モジュール１４０、２４０は、ロッキングモードから駆動モードに切り替えられる。駆動モード時、第２連結部２５０から垂直方向に突出したレバー部２６０は回転可能に備えられ、時計方向または反時計方向に回転するに伴い、第２連結部２５０、具体的に第２ハウジング２５１および第２端子部２５２を直線方向に移動する。
【００６９】
図９は、本発明の一実施形態に係るアンテナ装置における、アンテナモジュールでＲＲＨの着脱される過程を示す図である。
【００７０】
図９を参照すれば、アンテナ装置１０が外壁に支持された状態でアンテナモジュール１００におけるＲＲＨ２００の着脱動作を説明する。アンテナモジュール１００は外壁に固定されるが、アンテナモジュール１００の上部は上部固定モジュール１０１によって外壁に支持され、アンテナモジュール１００の下部は下部固定モジュール１０１によって外壁に支持される。アンテナモジュール１００が外壁に固定されると、アンテナモジュール１００と外壁との間にはＲＲＨ２００の装着空間が形成される。
【００７１】
固定モジュール１０１の間に第１ガイド部１２０と第２ガイド部１３０が上下方向に互いに対向するよ  にアンテナモジュール１００の後面に突出して備えられる。第２ガイド部１３０は、第１ガイド部１２０より広い大きさを有することにより、アンテナモジュール１００と外壁との間には第２ガイド部１３０の大きさだけの空間が形成されていなければならない。
【００７２】
ＲＲＨ２００は、アンテナモジュール１００の後面に傾斜して載置され、傾斜した状態で第１方向Ｘに沿ってスライド移動する。具体的には、アンテナモジュール１００の後面上部に備えられた第１ガイド部１２０、具体的に下部方向にオープンした中空部１２１を具備した先端レール部には、ＲＲＨ２００の一端部に備えられた上部スライダが載置される。また、アンテナモジュール１００の後面下部に備えられた第２ガイド部１３０、具体的に下端レール部上に備えられた第１方向ガイド溝１３１ａには、ＲＲＨ２００の他端部に備えられた下部スライダが載置される。上端レール部の位置は、第１方向ガイド溝１３１ａに対比してアンテナモジュール１００側に隣接して備えられることにより、ＲＲＨ２００の一端部は、アンテナモジュール１００に近接した状態で位置し、ＲＲＨ２００の他端部は、ＲＲＨ２００の一端部に対比して相対的にアンテナモジュール１００と所定間隔離隔して位置する。よって、第１ガイド部１２０および第２ガイド部１３０に第１スライド部２２０と第２スライド部２３０が載置されると、ＲＲＨ２００は、アンテナモジュール１００で傾斜した状態で載置され、傾斜した状態で第１方向Ｘにスライド移動するのである（図９）。
【００７３】
アンテナモジュール１００で傾斜した状態で第１方向Ｘに移動したＲＲＨ２００がアンテナモジュール１００の後面に位置すると、第１連結部１５０と第２連結部２５０は、互いに離隔した状態で対面して位置する。作業者がＲＲＨ２００の他端部をプッシュすると、第１ガイド部１２０に結合された第１スライド部２２０を回転軸として第２スライド部２３０が第２ガイド部１３０で第２方向Ｙにスライド移動する。すなわち、下部スライダが第２方向ガイド溝１３１ｂに沿って第２方向Ｙにスライド移動する。
【００７４】
ＲＲＨ２００の他端部がプッシュされてアンテナモジュール１００側に移動すると、第２スライド部２３０の両端部から突出形成された係止部材２４０が、第２ガイド部１３０ の両側に実装された係止プレートの開口に係止され、係止プレートは、支持プレートで弾性的に回転して、開口が支持プレートの間に流入しながら係止部材２４０が開口に載置された状態でロッキングされる。よって、ＲＲＨ２００は、アンテナモジュール１００の後面に安定的に結合できるのである。
【００７５】
第１連結部１５０と第２連結部２５０は、隠蔽結合構造を有し、ＲＲＨ２００がアンテナモジュール１００に係止されて固定されると、第２ハウジング２５１が第１ハウジング１５１に載置され、第２端子部２５２と第１端子部１５２とは互いに噛み合う。第１端子部１５２と第２端子部２５１とは互いに噛み合っているだけで、電気的に連結された状態ではない。よって、第２連結部２５０の後面の開口に載置されて、ロッキングモードで備えられたレバー部２６０を第２連結部２５０の表面に垂直な方向に突出するように回転させて、結合モジュール１４０、２４０が駆動モードに切り替えられるようにする。
【００７６】
第２連結部２５０から突出したレバー部２６０を時計方向または反時計方向に回転させると、第２端子部２５２を備えた第２ハウジング２５１が回転および直線移動しながら、第２端子部２５２は、第１端子部１５２側に直線移動する。よって、第１端子部１５２と第２端子部２５２とは電気的に結合できる。第２連結部２５０を駆動させた後、レバー部２６０を再び第２連結部２５０の開口に載置させると、結合モジュール１４０、２４０は、ロッキングモードに切り替えられ、ＲＲＨ２００は、アンテナモジュール１００に結合された状態に維持できる。上述のように、ＲＲＨ２００は、アンテナモジュール１００で着脱可能に備えられるのはもちろん、別途の工具なしでもＲＲＨ２００をアンテナモジュール１００に電気的に結合させることができる。
【００７７】
また、前記のように、ＲＲＨ２００がアンテナモジュール１００に結合された状態で分離されることをみると、ＲＲＨ２００をアンテナモジュール１００に結合させる駆動とは逆に、まず、結合モジュール１４０、２４０をロッキングモードから駆動モードに切り替える。すなわち、レバー部２６０を開口から離脱させ、第２連結部２５０から突出したレバー部２６０を時計方向または反時計方向に回転させて、第２連結部２５０を第１連結部１５０から遠くなる方向に駆動させる。よって、第２端子部２５２と第１端子部１５２との電気的結合は切れ、第２ハウジング２５１は、第１ハウジング１５１で単に載置された状態にのみ維持される。この状態で係止プレートを操作すると、係止プレートが支持プレートの間で回転しながら、支持プレートの内側に引き込まれた開口が外部に露出する。外部に露出した開口に係止されている係止部材２４０を引っ張るとともに、ＲＲＨ２００の他端部を引っ張ると、下部スライダは、第２方向ガイド溝１３１ｂに沿ってアンテナモジュール１００から遠くなる方向に移動し、下部スライダが第１方向ガイド溝１３１ａに移動する。作業者がＲＲＨ２００をアンテナモジュール１００で第１方向Ｘにスライド移動させると、ＲＲＨ２００は、アンテナモジュール１００で傾斜した状態でスライド移動してアンテナモジュール１００から離脱することができる。
【００７８】
このように、ＲＲＨ２００をアンテナモジュール１００から離脱させる時にも、別途の工具を必要としない。よって、作業者の便宜性が増加するのはもちろん、別途の着脱工具といった機器による安全事故を防止できるのである。
【００７９】
以下、図１０〜図１５を参照して、本発明の多様な実施形態のうちの第２実施形態に係るアンテナ装置１０を説明することができる。まず、第２実施形態に係るアンテナ装置１０を説明するに先立ち、上述したアンテナ装置１０と同一の構成や動作などは上述した説明を準用することができる。
【００８０】
図１０は、本発明の多様な実施形態のうちの一実施形態に係るアンテナ装置１０における、アンテナモジュール１００とＲＲＨ２００との分離された側面図である。図１１は、本発明の多様な実施形態のうちの一実施形態に係るアンテナ装置１０における、アンテナモジュール１００とＲＲＨ２００との分離された後面斜視図である。
【００８１】
図１０および図１１を参照すれば、本発明の多様な実施形態のうちの一実施形態に係るアンテナ装置１０は、アンテナモジュール１００と、ＲＲＨ２００と、着脱部材３２０、４２０、３３０、４３０と、連結モジュール１５０、２５０と、結合モジュール１４０、２４０とを含むことができる。
【００８２】
本発明の一実施形態に係るアンテナ装置１０が上述したアンテナ装置１０と相違する点は、ＲＲＨ２００をアンテナモジュール１００に実装するための構造である。すなわち、上述したＲＲＨ２００は、アンテナモジュール１００の一側から他側方向に斜線形態にスライド移動した後、前記ＲＲＨ２００の下部を前記アンテナモジュール１００側にプッシュして結合される構造を有している。
【００８３】
これに対し、本発明の一実施形態に係るＲＲＨ２００は、アンテナモジュール１００の後面で斜線方向に載置された後、プッシュされて結合される構造を有している。
【００８４】
具体的には、ＲＲＨ２００をアンテナモジュール１００の一面に脱付着するように、前記アンテナモジュール１００と前記ＲＲＨ２００の上下部にはそれぞれ着脱部材３２０、４２０、３３０、４３０が備えられ、このような着脱部材３２０、４２０、３３０、４３０は、ＲＲＨ２００の一端部を係止および回転するように載置し、前記ＲＲＨ２００の他端部を、前記ＲＲＨ２００の回転に伴い、前記アンテナモジュール１００から近くなるか遠くなる方向に移動するようにガイドし、前記ＲＲＨ２００の他端部を載置するガイドモジュール（ｇｕｉｄｅ  ｍｏｄｕｌｅ）として備えられる。
【００８５】
本発明の一実施形態に係るガイドモジュールは、係止棒部材３２０と、環部材４２０と、下端レール部３３０と、下部スライダ４３０とを含むことができる。係止棒部材３２０と環部材４２０は、アンテナモジュール１００とＲＲＨ２００の上部に位置し、下端レール部３３０と下部スライダ４３０は、アンテナモジュール１００とＲＲＨ２００の下部に位置することができる。
【００８６】
図１２は、本発明の多様な実施形態のうちの一実施形態に係るアンテナ装置１０の係止棒部材３２０と環部材４２０を示す拡大図である。図１３は、本発明の多様な実施形態のうちの一実施形態に係るアンテナ装置１０の環部材４２０の他の形状を示す図である。
【００８７】
図１２および図１３を参照すれば、係止棒部材３２０は、前記アンテナモジュール１００の後面上側に少なくとも１つ以上備えられ、アンテナモジュール１００の後面と平行な方向に長くて丸い形状で備えられる。係止棒部材３２０には、後述するＲＲＨ２００の一端部に形成された環部材４２０が回転可能に係止されて載置されるように備えられる。本発明の一実施形態に係る係止棒部材３２０は、アンテナモジュール１００を外壁に支持するために上部に備えられる固定モジュールに一緒に備えられることを例として説明することができる。しかし、係止棒部材３２０は、アンテナモジュール１００の後面上側にＲＲＨ２００の上部を回転可能に載置させられる構成であればあらゆる変更や変形が可能である。例えば、係止棒部材３２０は、１つの長くて丸い棒状に実現されることを例として説明したが、例えば、係止棒部材３２０が２つに分離実現されてもよい。
【００８８】
環部材４２０は、ＲＲＨ２００の上部に少なくとも１つ以上備えられ、前記係止棒部材３２０に回転可能に係止されて載置される。環部材４２０は、一側のオープンした鉤形状であって、上述した係止棒部材３２０に回転可能に載置される。本発明の一実施形態に係る環部材４２０は、ＲＲＨ２００の上部に２つが備えられることを例として説明することができる。しかし、環部材４２０はこれに限定されるものではなく、例えば、図１３に示されるように、ＲＲＨ２００の第１方向（Ｘ方向）に長く１つが形成されてもよく、図示しないが、ＲＲＨ２００の中央に１つが形成されてもよいなど多様な変形や変更が可能である。
【００８９】
下端レール部３３０は、アンテナモジュール１００の下部に備えられ、ＲＲＨ２００の他端部と結合されて、前記ＲＲＨ２００の一端部を回転軸として前記ＲＲＨ２００の他端部を前記アンテナモジュール１００に隣接するか遠くなる方向に移動するようにガイド支持することができる。下端レール部３３０は、前記下部スライダ４３０を載置して、前記下部スライダ４３０をアンテナモジュール１００に隣接するか遠くなる方向にガイドするガイド溝を含むことができる。
【００９０】
下部スライダ４３０は、ＲＲＨ２００の下部に備えられ、前記下端レール部３３０に載置されて、下端レール部３３０、具体的にガイド溝に沿ってスライド移動して前記アンテナモジュール１００に着脱されるように備えられる。下部スライダ４３０は、前記ＲＲＨ２００の下部または前記連結モジュール１５０、２５０の下部のうちの少なくとも１つに突出形成され、前記ガイド溝に沿ってスライド移動するように備えられる。
【００９１】
すなわち、アンテナモジュール１００の後面にＲＲＨ２００を傾斜させて、環部材４２０を係止棒部材３２０に係止して載置させる。環部材４２０が係止棒部材３２０に係止されると、下部スライダ４３０は、アンテナモジュール１００と遠い方向のガイド溝の一端に載置される。この状態でＲＲＨ２００の下部をプッシュすると、下部スライダ４３０は、ガイド溝の一端からアンテナモジュール１００と近い方向のガイド溝の他端に押されてガイド溝に沿ってスライド移動することができる。この時、環部材４２０は、係止棒部材３２０を軸を中心に回転することができる。下部スライダ４３０がアンテナモジュール１００側に移動すると、前記ＲＲＨ２００の他端部は、アンテナモジュール１００に隣接して移動するか遠くなる方向に移動する。
【００９２】
図示しないが、本発明の一実施形態に係るアンテナ装置１０にも、上述した第１実施形態のアンテナ装置１０のように、ＲＲＨ２００をアンテナモジュール１００に固定しながら、連結モジュール１５０、２５０の電気的な連結状態を安定的に維持できるように、結合モジュール１４０、２４０が備えられる（図５〜図８参照）。これに関する構成は第１実施形態で説明したので、これを準用することができる。ただし、固定部材は、アンテナモジュール１００の下部に下端レール部３３０の両端部に位置するか、またはアンテナモジュール１００の後面下部に所定位置に位置することができる。また、係止部材は、下部スライダ４３０と隣接した位置に備えられるか、または固定部材に対応するＲＲＨ２００の所定位置にＸ方向に突出して形成されてもよい。
【００９３】
また、上記の第１実施形態のように、前記ＲＲＨ２００の他端部がアンテナモジュール１００に隣接して移動すると、アンテナモジュール１００の後面に備えられる第１連結部と、ＲＲＨ２００の一面に備えられる第２連結部２５０とが互いに連結される。これに関する具体的な構成や動作および着脱構造は上記の第１実施形態で言及した内容と同一であるので、上述した説明を準用することができる（図５〜図８参照）。
【００９４】
すなわち、ＲＲＨ２００がアンテナモジュール１００の後面に平行に配置されると、第１端子部と第２端子部は、第１ハウジングと第２ハウジングとの密着によって第１ハウジングと第２ハウジングに取り囲まれたまま外部に露出しない。また、ＲＲＨ２００がアンテナモジュール１００に平行に位置するように移動すると、第１端子部と第２端子部とは噛み合ったまま備えられるが、互いに電気的に結合されない。よって、結合モジュール１４０、２４０は、第１ハウジングおよび第２ハウジングに取り囲まれたまま隠蔽された第２端子部を第１端子部側に直線移動させて、第２端子部を第１端子部と結合するか、結合解除するように駆動される。
【００９５】
第１実施形態においても言及したように、結合モジュール１４０、２４０は、作業者がＲＲＨ２００をアンテナモジュール１００に電気的に連結する時、別途の工具なしに装着できるように、ＲＲＨ２００の後面、具体的に第２連結部２５０の後面に備えられ、前記結合モジュール１４０、２４０は、ロッキングモードと駆動モードの２つのモードで駆動できる。ロッキングモードは、第２連結部２５０の駆動を制限する状態であって、レバー部が第２連結部２５０の後面の開口に載置されると、レバー部の駆動は制限され、第２連結部２５０の駆動はロッキングされるはずである（図５〜図８参照）。
【００９６】
図１４は、本発明の多様な実施形態のうちの一実施形態に係るアンテナ装置１０における、アンテナモジュール１００の後面にＲＲＨ２００の着脱前の状態を示す図である。図１５は、本発明の多様な実施形態のうちの一実施形態に係るアンテナ装置１０における、アンテナモジュール１００の後面にＲＲＨ２００の着脱された状態を示す図である。
【００９７】
図１４および図１５を参照すれば、アンテナ装置１０が外壁に支持された状態でアンテナモジュール１００におけるＲＲＨ２００の着脱動作をみる。アンテナモジュール１００は外壁に固定されるが、アンテナモジュール１００の上部は上部固定モジュールによって外壁に支持され、アンテナモジュール１００の下部は下部固定モジュールによって外壁に支持される。アンテナモジュール１００が外壁に固定されると、アンテナモジュール１００と外壁との間にはＲＲＨ２００の装着空間が形成される。
【００９８】
アンテナモジュール１００の後面には、係止棒部材３２０と下端レール部３３０とが互いに対向して突出して備えられる。ＲＲＨ２００は、アンテナモジュール１００の後面に傾斜した状態で位置することができる。具体的には、アンテナモジュール１００の後面上部に備えられた係止棒部材３２０には、一方向にオープンした中空部を具備した上端レール部が係止されて載置される。また、アンテナモジュール１００の後面下部に備えられた下端レール部３３０上に形成されたガイド溝には、ＲＲＨ２００の他端部に備えられた下部スライダ４３０が載置される。ＲＲＨ２００は、アンテナモジュール１００の後面で傾斜した状態で載置され、傾斜した状態で第２方向Ｙにスライド移動するのである。
【００９９】
ＲＲＨ２００がアンテナモジュール１００の後面に位置すると、第１連結部と第２連結部２５０は、互いに離隔した状態で対面して位置する。作業者がＲＲＨ２００の他端部をプッシュすると、係止棒部材３２０および環部材４２０を回転軸として、下部スライダ４３０は下端レール部３３０のガイド溝に沿って第２方向Ｙにスライド移動する。
【０１００】
ＲＲＨ２００の他端部がプッシュされてＲＲＨ２００の他端部がアンテナモジュール１００側に移動すると、ＲＲＨ２００の下部の両端部から突出形成された係止部材が、アンテナモジュール１００の下部に備えられた係止プレートの開口に係止され、係止プレートは、支持プレートで弾性的に回転して、開口が支持プレートの間に流入しながら係止部材が開口に載置された状態でロッキングされる（上述した第１実施形態参照）。よって、ＲＲＨ２００は、アンテナモジュール１００の後面に安定的に結合できるのである。
【０１０１】
第１連結部１５０と第２連結部２５０は、隠蔽結合構造を有し、ＲＲＨ２００がアンテナモジュール１００に係止されて固定されると、第２ハウジングが第１ハウジングに載置され、第２端子部と第１端子部とは互いに噛み合う。また、レバー部を第２連結部２５０の表面に垂直な方向に突出するように回転させて、結合モジュール１４０、２４０が駆動モードに切り替えられるようにする。
【０１０２】
第２連結部２５０から突出したレバー部を時計方向または反時計方向に回転させると、第２端子部を備えた第２ハウジングが回転および直線移動しながら、第２端子部は、第１端子部側に直線移動することができ、第１端子部と第２端子部とは電気的に結合できる。第２連結部２５０を駆動させた後、レバー部を再び第２連結部２５０の開口に載置させると、結合モジュール１４０、２４０は、ロッキングモードに切り替えられ、ＲＲＨ２００は、アンテナモジュール１００に結合された状態に維持できる。上述のように、ＲＲＨ２００は、アンテナモジュール１００で着脱可能に備えられるのはもちろん、別途の工具なしでもＲＲＨ２００をアンテナモジュール１００に電気的に結合させることができる。
【０１０３】
また、前記のように、ＲＲＨ２００がアンテナモジュール１００に結合された状態で分離されることをみると、ＲＲＨ２００をアンテナモジュール１００に結合させる駆動とは逆に、まず、結合モジュール１４０、２４０をロッキングモードから駆動モードに切り替える。すなわち、レバー部を開口から離脱させ、第２連結部２５０から突出したレバー部２６０を時計方向または反時計方向に回転させて、第２連結部２５０を第１連結部１５０から遠くなる方向に駆動させる。よって、第２端子部と第１端子部との電気的結合は切れ、第２ハウジングは、第１ハウジングで単に載置された状態にのみ維持される。この状態で係止プレートを操作すると、係止プレートが支持プレートの間で回転しながら、支持プレートの内側に引き込まれた開口が外部に露出する。外部に露出した開口に係止されている係止部材を引っ張るとともに、ＲＲＨ２００の他端部を引っ張ると、下部スライダ４３０は、ガイド溝に沿ってアンテナモジュール１００から遠くなる方向に移動することができる。作業者が環部材４２０を係止棒部材３２０から離脱させると、ＲＲＨ２００は、アンテナモジュール１００から分離される。
【０１０４】
このように、本発明の一実施形態においても、ＲＲＨ２００をアンテナモジュール１００から離脱させる時にも、別途の工具を必要としない。よって、作業者の便宜性が増加するのはもちろん、別途の着脱工具といった機器による安全事故を防止できるのである。
【０１０５】
以下、図１６〜図２１を参照して、本発明の多様な実施形態のうちの第３実施形態に係るアンテナ装置１０を説明することができる。まず、第３実施形態に係るアンテナ装置１０を説明するに先立ち、上述したアンテナ装置１０と同一の構成や動作などは上述した説明を準用することができる。
【０１０６】
図１６は、本発明の多様な実施形態のうちの一実施形態に係るアンテナ装置１０における、アンテナモジュール１００とＲＲＨ２００との分離された側面図である。図１７は、本発明の多様な実施形態のうちの一実施形態に係るアンテナ装置１０における、アンテナモジュール１００とＲＲＨ２００とが一次的に結合された状態の側面斜視図である。図１８は、本発明の多様な実施形態のうちの一実施形態に係る着脱部材５００、６２０、具体的にリンクモジュール５００、６２０を示す図である。図１９は、本発明の多様な実施形態のうちの一実施形態に係る着脱部材５００、６２０、具体的にリンクモジュール５００、６２０が駆動された状態を示す拡大図である。
【０１０７】
図１６〜図１９を参照すれば、本発明の一実施形態に係るアンテナ装置１０が上述したアンテナ装置１０と相違する点は、ＲＲＨ２００をアンテナモジュール１００に実装するための構造である。すなわち、上述したＲＲＨ２００は、アンテナモジュール１００の一側から他側方向に斜線形態にスライド移動した後、前記ＲＲＨ２００の下部を前記アンテナモジュール１００側にプッシュして結合される構造を有しているか、またはＲＲＨ２００がアンテナモジュール１００から斜線形態に結合された状態でＲＲＨ２００の他端部をプッシュしながら結合される構造を有している。
【０１０８】
これに対し、本発明の一実施形態に係るＲＲＨ２００は、リンクモジュール５００、６２０のような着脱部材５００、６２０を介してアンテナモジュール１００の後面から所定間隔離隔して載置された後、前記アンテナモジュール１００の後面上部から下部に前記アンテナモジュール１００の後面に密着して回転および直線移動しながら、前記ＲＲＨ２００は、前記アンテナモジュール１００の後面に結合される。
【０１０９】
具体的には、ＲＲＨ２００をアンテナモジュール１００の一面に脱付着するように、前記アンテナモジュール１００と前記ＲＲＨ２００の両側面にはそれぞれ着脱部材が備えられ、このような着脱部材は、ＲＲＨ２００の両側面を載置し、ＲＲＨ２００を前記アンテナモジュール１００の後面上部から下部に回転および直線移動させて、前記ＲＲＨ２００を前記アンテナモジュール１００の後面に脱付着するリンクモジュール５００、６２０として備えられる。
【０１１０】
本発明の一実施形態に係る前記リンクモジュール５００、６２０は、１つ以上の突起部６２０と、リンク部材５００とを含むことができる。
【０１１１】
突起部６２０は、前記ＲＲＨ２００の両側面に少なくとも１つ以上、本発明の一実施形態では、１つの側面にそれぞれ２つの突起部６２０が第１方向Ｘに突出することを例として説明する。
【０１１２】
リンク部材５００は、アンテナモジュール１００の両側面にそれぞれ備えられ、結合プレート５２０と、ロテータ５１０とを含むことができる。ロテータ５１０は、アンテナモジュール１００の側面の上下にそれぞれ回転可能に結合される。また、一対のロテータ５１０に１つの結合プレート５２０が回転可能に結合される。結合プレート５２０には、前記突起部６２０が係止されて載置される開口５３０が備えられる。開口５３０は、突起部６２０が引き込まれる入口５３１と、突起部６２０が係止されて載置される載置部５３２とに区画され、載置部５３２は、入口５３１から下部方向に引き込まれるように形成される。しかし、突起部６２０が係止可能な形状や構造であれば、開口５３０の形状はあらゆる変形や変更が可能である。結合プレート５２０は、ロテータ５１０に結合され、ロテータ５１０の回転に伴い、アンテナモジュール１００から遠くなった状態で、近くなる方向に斜線に直線移動することができる。ロテータ５１０は、アンテナモジュール１００の後面からＲＲＨ２００の方向に突出して備えられ、アンテナモジュール１００と結合された部分を回転軸として下部に回転するように備えられる。
【０１１３】
ＲＲＨ２００がアンテナモジュール１００の後面に位置した状態で、前記突起部６２０は、前記開口５３０に係止されて載置される。よって、前記ＲＲＨ２００は、前記アンテナモジュール１００の後面に、アンテナモジュール１００と平行で所定間隔離隔した状態で結合される。突起部６２０が開口５３０に載置されてＲＲＨ２００がアンテナモジュール１００の後面に位置すると、前記ロテータ５１０は、アンテナモジュール１００にＺ方向に突出した状態で、ロテータ５１０の一側を回転軸としてアンテナモジュール１００の側面と同一方向となるように（重力方向に相当する）回転する。ロテータ５１０の他側に回転可能に結合された結合プレート５２０は、アンテナモジュール１００の後面から所定間隔離隔した状態でアンテナモジュール１００の後面に近くなる方向に斜線方向に移動することができる。よって、ＲＲＨ２００がアンテナモジュール１００の上部から下部方向に移動するのはもちろん、アンテナモジュール１００の後面から所定間隔離隔した状態でアンテナモジュール１００の後面と近くなる方向に移動することができる。ＲＲＨ２００がアンテナモジュール１００の後面と近接して移動すると、前記ＲＲＨ２００の前面に位置する第２連結部２５０は、アンテナモジュール１００の後面に位置する第１連結部１５０と連結されるはずである。
【０１１４】
図示しないが、本発明の一実施形態に係るアンテナ装置１０にも、上述した第１実施形態のアンテナ装置１０のように、ＲＲＨ２００をアンテナモジュール１００に固定しながら、連結モジュールの電気的な連結状態を安定的に維持できるように、結合モジュールが備えられる。これに関する構成は第１実施形態で説明したので、これを準用することができる。ただし、固定部材は、アンテナモジュール１００の後面下部に所定位置に位置することができる。また、係止部材は、固定部材に対応する位置にＲＲＨ２００の所定位置にＸ方向に突出して形成されてもよい（図５〜図８参照）。
【０１１５】
また、上記の第１実施形態のように、前記ＲＲＨ２００の他端部がアンテナモジュール１００に隣接して移動すると、アンテナモジュール１００の後面に備えられる第１連結部１５０と、ＲＲＨ２００の一面に備えられる第２連結部２５０とが互いに連結される。これに関する具体的な構成や動作および着脱構造は上記の第１実施形態で言及した内容と同一であるので、上述した説明を準用することができる。簡略にみると、ＲＲＨ２００がアンテナモジュール１００の後面に近接すると、第１端子部と第２端子部は、第１ハウジングと第２ハウジングに取り囲まれたまま噛み合うことができる。また、ＲＲＨ２００がアンテナモジュール１００に平行に位置する時、第１端子部と第２端子部とは噛み合ったまま備えられ、これらを互いに電気的に結合できるように結合モジュールを駆動させることができる。すなわち、結合モジュールは、第１ハウジングおよび第２ハウジングに取り囲まれたまま隠蔽された第２端子部を第１端子部側に直線移動させて、第２端子部を第１端子部と結合するか、結合解除するように駆動される（図５〜図８参照）。
【０１１６】
第１実施形態においても言及したように、結合モジュールは、作業者がＲＲＨ２００をアンテナモジュール１００で電気的に連結する時、別途の工具なしに装着できるように、ＲＲＨ２００の後面、具体的に第２連結部２５０の後面に備えられ、前記結合モジュールは、ロッキングモードと駆動モードの２つのモードで駆動される。ロッキングモードは、第２連結部２５０の駆動を制限する状態であって、レバー部が第２連結部２５０の後面の開口５３０に載置されると、レバー部の駆動は制限され、第２連結部２５０の駆動はロッキングされるはずである（図５〜図８参照）。
【０１１７】
図２０は、本発明の多様な実施形態のうちの一実施形態に係るアンテナ装置１０における、アンテナモジュール１００の後面にＲＲＨ２００の着脱前の状態を示す図である。図２１は、本発明の多様な実施形態のうちの一実施形態に係るアンテナ装置１０における、アンテナモジュール１００の後面にＲＲＨ２００の着脱された状態を示す図である。
【０１１８】
図２０および図２１を参照すれば、アンテナ装置１０が外壁に支持された状態でアンテナモジュール１００におけるＲＲＨ２００の着脱動作を説明する。アンテナモジュール１００は外壁に固定されるが、アンテナモジュール１００の上部は上部固定モジュールによって外壁に支持され、アンテナモジュール１００の下部は下部固定モジュールによって外壁に支持される。アンテナモジュール１００が外壁に固定されると、アンテナモジュール１００と外壁との間にはＲＲＨ２００の装着空間が形成される。
【０１１９】
アンテナモジュール１００の後面の両側面にはリンクモジュール５００、６２０が備えられる。ＲＲＨ２００は、アンテナモジュール１００の後面にアンテナモジュール１００と平行に位置し、ＲＲＨ２００の突起部６２０を結合プレート５２０に備えられた開口５３０に載置させる。突起部６２０が開口５３０に載置されて結合されると、ロテータ５１０は、ロテータ５１０の一側を回転軸として回転することができる。ＲＲＨ２００が結合された結合プレート５２０は、アンテナモジュール１００の下部に移動するとともに、アンテナモジュール１００の後面方向に移動することができる。よって、ＲＲＨ２００は、アンテナモジュール１００の後面から所定間隔離隔した状態で近接して移動することができ、ＲＲＨ２００がアンテナモジュール１００の後面に位置すると、第１連結部１５０と第２連結部２５０は、互いに離隔した状態で対面して位置する。
【０１２０】
ＲＲＨ２００がアンテナモジュール１００側に移動すると、ＲＲＨ２００の下部の両端部から突出形成された係止部材が、アンテナモジュール１００の下部に備えられた係止プレートの開口５３０に係止され、係止プレートは、支持プレートで弾性的に回転して、開口５３０が支持プレートの間に流入しながら係止部材が開口５３０に載置された状態でロッキングされる（上述した第１実施形態参照）。よって、ＲＲＨ２００は、アンテナモジュール１００の後面に安定的に結合できるのである。
【０１２１】
第１連結部１５０と第２連結部２５０は、隠蔽結合構造を有し、ＲＲＨ２００がアンテナモジュール１００に係止されて固定されると、第２ハウジングが第１ハウジングに載置され、第２端子部と第１端子部とは互いに噛み合う。また、レバー部を第２連結部２５０の表面に垂直な方向に突出するように回転させて、結合モジュールが駆動モードに切り替えられるようにする（図５〜図８参照）。
【０１２２】
第２連結部２５０から突出したレバー部を時計方向または反時計方向に回転させると、第２端子部を備えた第２ハウジングが回転および直線移動しながら、第２端子部は、第１端子部側に直線移動することができ、第１端子部と第２端子部とは電気的に結合できる。第２連結部２５０を駆動させた後、レバー部を再び第２連結部２５０の開口５３０に載置させると、結合モジュールは、ロッキングモードに切り替えられ、ＲＲＨ２００は、アンテナモジュール１００に結合された状態に維持できる。上述のように、ＲＲＨ２００は、アンテナモジュール１００で着脱可能に備えられるのはもちろん、別途の工具なしでもＲＲＨ２００をアンテナモジュール１００に電気的に結合させることができる（図５〜図８参照）。
【０１２３】
また、前記のように、ＲＲＨ２００がアンテナモジュール１００に結合された状態で分離されることをみると、ＲＲＨ２００をアンテナモジュール１００に結合させる駆動とは逆に、まず、結合モジュールをロッキングモードから駆動モードに切り替える。すなわち、レバー部を開口５３０から離脱させ、第２連結部２５０から突出したレバー部２６０を時計方向または反時計方向に回転させて、第２連結部２５０を第１連結部１５０から遠くなる方向に駆動させる。よって、第２端子部と第１端子部との電気的結合は切れ、第２ハウジングは、第１ハウジングで単に載置された状態にのみ維持される。この状態で係止プレートを操作すると、係止プレートが支持プレートの間で回転しながら、支持プレートの内側に引き込まれた開口５３０が外部に露出する。外部に露出した開口５３０に係止されている係止部材を引っ張るとともに、ＲＲＨ２００を上部方向に上昇させると、リンクモジュール５００、６２０は元の位置に移動することができ、突起部６２０を開口５３０から離脱することにより、ＲＲＨ２００は、アンテナモジュール１００から分離される（図５〜図８参照）。
【０１２４】
図２２は、本発明の一実施形態に係るアンテナ装置における、第１連結部１５０の他の実施形態を示す図である。図２３は、本発明の一実施形態に係るアンテナ装置における、他の実施形態に係る第１連結部１５０と第２連結部２５０との結合された状態を概略的に示す図である。図２４は、本発明の一実施形態に係るアンテナ装置における、他の実施形態に係る第１連結部１５０と第２連結部２５０との結合された状態の一部断面を示す図である。図２５は、本発明の一実施形態に係るアンテナ装置における、第１連結部１５０と第２連結部２５０とが結合された状態の概略的な断面図を示す図である。図２６は、本発明の一実施形態に係るアンテナ装置における、レバー部４６０の駆動による第１連結部１５０と第２連結部２５０との結合駆動を示す図である。
【０１２５】
図２２〜図２５を参照すれば、アンテナモジュール１００とＲＲＨ２００との互いに対面する面、具体的にアンテナモジュール１００の後面とＲＲＨ２００の前面方向には、アンテナモジュール１００とＲＲＨ２００とを互いに電気的に連結するための連結モジュール１５０、２５０が備えられる。本発明の一実施形態に係る連結モジュール１５０、２５０は、上記の実施形態の連結モジュール１５０、２５０と同じく、第１連結部１５０と、第２連結部２５０とを含むことができる。上記の実施形態とこの実施形態に係る連結モジュールは、第１連結部１５０と第２連結部２５０との結合構造と結合方式で相違点がある。
【０１２６】
具体的には、本発明の一実施形態に係る第１連結部１５０は、アンテナモジュール１００の後面の内側に引き込まれて備えられる。また、第２連結部２５０は、ＲＲＨ２００に突出形成され、第１連結部１５０側に引き込まれて第１連結部１５０と密着するように備えられる。第２連結部２５０は、ＲＲＨ２００の他端部がアンテナモジュール１００と近くなるか遠くなる第２方向Ｙに移動すると、第２連結部２５０は、第１連結部１５０の内側に引き込まれて噛み合うか、第１連結部１５０の内側から引き出されて離脱することができる。第２連結部２５０が第１連結部１５０に密着した状態で、後述する結合モジュール１４０、２４０の駆動によって第２連結部２５０が第１連結部１５０に直線移動して電気的に連結される。
【０１２７】
第１連結部１５０は、第１端子部１５２と、第１ハウジング１５１とを含むことができる。第１ハウジング１５１は、アンテナモジュール１００の後面の内側に引き込まれて備えられた第１端子部１５２の周りに備えられる。本発明の一実施形態に係る第１ハウジング１５１には、第１端子部１５２の周辺部に段付きに突出した載置突出面１５１ａが備えられる。載置突出面１５１ａは、後述する第２連結部２５０の引き込み載置面２５１ａに引き込まれるように備えられる。後述するが、ＲＲＨ２００がハウジングの後面に位置した状態で使用者がレバー部４６０を駆動させると、引き込み載置面２５１ａが載置突出面１５１ａを引き込んだ状態で直線移動して互いに密着できる。
【０１２８】
すなわち、上記の実施形態の第１ハウジング１５１の内側の周面にはねじ山が形成され、第２ハウジング２５１の内側面に形成されたねじパターンに噛み合って、レバー部４６０の駆動によって回転移動しながら、第２連結部２５０の第２端子部２５２を第２方向Ｙに直線移動させられるように備えられる構成であった。これに対し、本発明の実施形態に係る第１ハウジング１５１は、第２ハウジング２５１に引き込まれて結合された後、第２ハウジング２５１側に直線移動することにより、互いに噛み合って密閉されるように備えられるのである。
【０１２９】
第１端子部１５２は、第１ハウジング１５１に取り囲まれてアンテナモジュール１００の後面の内側から突出形成される。第１端子部１５２は、第１ハウジング１５１に弾性的に実装される。アンテナモジュール１００に傾斜してガイド移動したＲＲＨ２００の他端部をアンテナモジュール１００側にプッシュすると、第１端子部１５２が弾性的に駆動可能で、後述する第２連結部２５０の第２端子部２５２と安定的に噛み合うことができる。
【０１３０】
第２連結部２５０は、第２端子部２５２と、第２ハウジング２５１とを含むことができる。
【０１３１】
本発明の一実施形態に係る第２ハウジング２５１は、アンテナモジュール１００に対向する位置に実装され、ＲＲＨ２００の下部に突出形成される。第２ハウジング２５１は、第２端子部２５２の周辺の周りに備えられ、第２ハウジング２５１には、上述した載置突出面１５１ａが嵌合できるように第２ハウジング２５１の周りに沿って所定の引き込まれた凹溝状の引き入み載置面２５１ａが備えられる。第１連結部１５０と第２連結部２５０とが互いに噛み合うと、第１ハウジング１５１の載置突出面１５１ａは、第２ハウジング２５１の引き込み載置面２５１ａに嵌合して噛み合うように備えられるのである。第２ハウジング２５１は、後述するレバー部４６０の駆動によって第１ハウジング１５１の内側に密着できるように第２方向Ｙに直線移動する。また、第２端子部２５２が第１端子部１５２に噛み合っているだけの状態で、第２ハウジング２５１は、レバー部４６０の駆動によって第２方向Ｙに沿って直線移動しながら第１ハウジング１５１と密着結合され、第２端子部２５２は、第２方向Ｙに沿って直線移動しながら第１端子部１５２と電気的に結合または結合解除されるのである。
【０１３２】
例えば、第１端子部１５２と第２端子部２５２とが噛み合った状態で電気的に結合される駆動状態をみると、まず、ＲＲＨ２００がアンテナモジュール１００で第１方向Ｘ移動するとともに、回転および第２方向Ｙ移動してアンテナモジュール１００の後面に密着する。ＲＲＨ２００がアンテナモジュール１００の後面に密着すると、第２ハウジング２５１は第１ハウジング１５１に引き込まれ、第１端子部１５２と第２端子部２５２とは互いに噛み合う。この時、第１端子部１５２と第２端子部２５２とは噛み合っているが、電気的に結合される前の状態である。この状態で後述する第２連結部２５０に備えられたレバー部４６０を駆動させると、第１連結部１５０が第２連結部２５０側に移動しながら、具体的に第１端子部１５２が第２端子部２５２側に直線移動しながら互いに電気的に結合できるのである。
【０１３３】
また、引き込み載置面２５１ａの内側には、引き込み載置面２５１ａと載置突出面１５１ａとの結合時、これらが密着結合できるようにシーリング部材２９０がさらに備えられる。すなわち、レバー部４６０の駆動によって載置突出面１５１ａの端部が引き込み載置面２５１ａの内側に密着する時、載置突出面１５１ａの端部がシーリング部材２９０を加圧しながら密着することにより、第１ハウジング１５１と第２ハウジング２５１の内側に異物が流入することを制限できるのである。このようなシーリング部材２９０は、弾性材質を含む、例えば、ウレタンや、シリコーン、ゴムのうちの少なくとも１つの材質を含んでなるとよい。
【０１３４】
先にも言及したレバー部４６０は、ＲＲＨ２００とアンテナモジュール１００との密着によって互いに噛み合うだけで備えられた第１、第２端子部１５２、２５２を電気的に結合または結合解除できるように駆動させるように備えられる。ＲＲＨ２００がアンテナモジュール１００の後面に配置されると、第１端子部１５２と第２端子部２５２は、第１ハウジング１５１と第２ハウジング２５１との密着によって第１ハウジング１５１と第２ハウジング２５１に取り囲まれたまま外部に露出しない。また、ＲＲＨ２００がアンテナモジュール１００に平行に位置するように移動すると、第１端子部１５２と第２端子部２５２とは噛み合ったまま備えられる。しかし、第１端子部１５２と第２端子部２５２とは互いに電気的に結合されない状態である。レバー部４６０は、第２連結部２５０を第１連結部１５０側に移動させて、第１ハウジング１５１および第２ハウジング２５１に取り囲まれたまま隠蔽された第２端子部２５２を第１端子部１５２側に直線移動させて、第２端子部２５２を第１端子部１５２と結合するか、結合解除するように駆動されるのである。
【０１３５】
このようなレバー部４６０は、第２連結部２５０の後面で回転可能に備えられ、前記第２連結部２５０の後面に備えられた開口に載置されるように備えられる。レバー部４６０は、前記第２連結部２５０に形成された開口に載置されて、前記第２連結部２５０の表面に対面するように位置することができる。前記レバー部４６０は、前記第２連結部２５０に回転するように結合された一端を中心軸として前記第２連結部２５０の表面に垂直な方向に突出するように第１回転移動するように備えられ、第２連結部２５０の表面から突出したレバー部４６０が中心軸を中心に第２回転移動するように備えられる。レバー部４６０が第２連結部２５０で第１回転移動すると、レバー部４６０は、第２連結部２５０の表面と平行に位置して開口に載置されるか、または開口から離脱して第２連結部２５０の表面に垂直な方向に突出して備えられる。第２連結部２５０から突出したレバー部４６０をその一端を中心に第２回転移動させると、第１連結部１５０と第２連結部２５０とを互いに近くなるか遠くなる方向に直線移動するようにガイドする。
【０１３６】
このように、本発明の一実施形態においても、ＲＲＨ２００をアンテナモジュール１００から離脱させる時にも、別途の工具を必要としない。よって、作業者の便宜性が増加するのはもちろん、別途の着脱工具といった機器による安全事故を防止できるのである。
【０１３７】
以上、本発明の詳細な説明では具体的な実施形態について説明したが、本発明の範囲を逸脱しない限度内で様々な変形が可能であることは、当該分野における通常の知識を有する者にとって自明である。
【符号の説明】
【０１３８】
１０：アンテナ装置
１００：アンテナモジュール
１２０：第１ガイド部
１３０：第２ガイド部
1４０：固定部材
１５０：第１連結部
２００：ＲＲＨ
２２０：第１スライド部
２３０：第２スライド部
２４０：係止部材
２５０：第２連結部
【図１】
0006386180.tif 000002
【図２】
0006386180.tif 000003
【図３】
0006386180.tif 000004
【図４】
0006386180.tif 000005
【図５】
0006386180.tif 000006
【図６】
0006386180.tif 000007
【図７】
0006386180.tif 000008
【図８】
0006386180.tif 000009
【図９】
0006386180.tif 000010
【図１０】
0006386180.tif 000011
【図１１】
0006386180.tif 000012
【図１２】
0006386180.tif 000013
【図１３】
0006386180.tif 000014
【図１４】
0006386180.tif 000015
【図１５】
0006386180.tif 000016
【図１６】
0006386180.tif 000017
【図１７】
0006386180.tif 000018
【図１８】
0006386180.tif 000019
【図１９】
0006386180.tif 000020
【図２０】
0006386180.tif 000021
【図２１】
0006386180.tif 000022
【図２２】
0006386180.tif 000023
【図２３】
0006386180.tif 000024
【図２４】
0006386180.tif 000025
【図２５】
0006386180.tif 000026
【図２６】
0006386180.tif 000027